(57)【特許請求の範囲】
【請求項１】
透明材料によって各部が一体に形成されると共に互いに反対側に位置する両面がそれぞれ第１の取付面部及び第２の取付面部として形成されたベースシャーシと、
該ベースシャーシの第１の取付面部に取り付けられ表示パネルを有する表示ユニットと、
ベースシャーシの第２の取付面部に取り付けられた制御回路基板と、
ベースシャーシの第２の取付面部に取り付けられ制御回路基板を覆うリアカバーと、
半導体発光素子が配置された素子搭載用基板とを備え、
ベースシャーシにおける表示ユニットの外側の位置に、半導体発光素子から発光されベースシャーシの内部を透過された光を受光して出射する蓄光ランプ部を形成した
ことを特徴とする電子機器。
【請求項２】
上記ベースシャーシに溝形状を形成し該溝の奥面部を上記蓄光ランプ部として形成し、
蓄光ランプ部を該蓄光ランプ部への入射光の光路に対して傾斜する形状に形成し、
蓄光ランプ部を半導体発光素子から遠去かるに従って溝の深さが深くなるように形成した
ことを特徴とする請求項１に記載の電子機器。
【請求項３】
透明材料によって各部が一体に形成されると共に互いに反対側に位置する両面がそれぞれ第１の取付面部及び第２の取付面部として形成されたベースシャーシと、
該ベースシャーシの第１の取付面部に取り付けられ表示パネルを有する表示ユニットと、
ベースシャーシの第２の取付面部に取り付けられた制御回路基板と、
ベースシャーシの第２の取付面部に取り付けられ制御回路基板を覆うリアカバーと、
半導体発光素子が配置された素子搭載用基板とを備え、
ベースシャーシにおける表示ユニットの外側の位置に、半導体発光素子から発光されベースシャーシの内部を透過された光を内面反射する反射ランプ部を形成し、
該反射ランプ部を、該反射ランプ部で反射された光が表示パネルの中央を横切る法線に寄る方向へ導かれる向きに傾斜させた
ことを特徴とする電子機器。
【発明の詳細な説明】
【技術分野】
【０００１】
本発明は電子機器についての技術分野に関する。詳しくは、透明材料によって形成されたベースシャーシに半導体発光素子から発光されベースシャーシの内部を透過された光を受ける蓄光ランプ部又は反射ランプ部を形成し、構造の簡素化及びランプ部の視認性の向上を図る技術分野に関する。
【背景技術】
【０００２】
電子機器、例えば、パーソナルコンピューター、ＰＤＡ（Personal Digital Assistant）、テレビ、各種の音響機器等は、所定の動作状態、例えば、電源投入状態や各種のドライブの動作状態等を表示するランプ部を備えており、このような電子機器には、ランプ部が透明材料を加工することにより形成されているものがある（例えば、特許文献１参照）。
【０００３】
特許文献１に記載された電子機器にあっては、前面ガラスの外周側の位置における後側に透明材料によって形成された透光性部材を配置し、該透光性部材に凹部を形成することにより光反射部（ランプ部）を形成するようにしている。発光部から発光された光は透光性部材の内部を透過され光反射部で内面反射され、透光性部材から前面ガラスに入射されて該前面ガラスの前面から出射され、発光部から出射された光が使用者に表示光として視認される。
【０００４】
【特許文献１】特開２００４−６１９２２号公報
【発明の開示】
【発明が解決しようとする課題】
【０００５】
ところが、上記した従来の電子機器にあっては、透光性部材と前面ガラスを設け、発光部から発光された光が透光性部材と前面ガラスの両者を透過する構成とされているため、光が透過される部材が多い分、構造が複雑であると言う問題がある。
【０００６】
また、所定の動作状態を表示するランプ部の視認性の向上を図る必要もある。  そこで、本発明電子機器は、上記した問題点を克服し、構造の簡素化及びランプ部の視認性の向上を図ることを課題とする。
【課題を解決するための手段】
【０００７】
本発明電子機器は、上記した課題を解決するために、透明材料によって各部が一体に形成されると共に互いに反対側に位置する両面がそれぞれ第１の取付面部及び第２の取付面部として形成されたベースシャーシと、該ベースシャーシの第１の取付面部に取り付けられ表示パネルを有する表示ユニットと、ベースシャーシの第２の取付面部に取り付けられた制御回路基板と、ベースシャーシの第２の取付面部に取り付けられ制御回路基板を覆うリアカバーと、半導体発光素子が配置された素子搭載用基板とを設け、ベースシャーシにおける表示ユニットの外側の位置に、半導体発光素子から発光されベースシャーシの内部を透過された光を受光して出射する蓄光ランプ部を形成したものである。
【０００８】
従って、本発明電子機器にあっては、半導体発光素子から蓄光ランプ部に入射された光が表示光として蓄光ランプ部から出射される。
【０００９】
別の本発明電子機器は、上記した課題を解決するために、透明材料によって各部が一体に形成されると共に互いに反対側に位置する両面がそれぞれ第１の取付面部及び第２の取付面部として形成されたベースシャーシと、該ベースシャーシの第１の取付面部に取り付けられ表示パネルを有する表示ユニットと、ベースシャーシの第２の取付面部に取り付けられた制御回路基板と、ベースシャーシの第２の取付面部に取り付けられ制御回路基板を覆うリアカバーと、半導体発光素子が配置された素子搭載用基板とを設け、ベースシャーシにおける表示ユニットの外側の位置に、半導体発光素子から発光されベースシャーシの内部を透過された光を内面反射する反射ランプ部を形成し、該反射ランプ部を、該反射ランプ部で反射された光が表示パネルの中央を横切る法線に寄る方向へ導かれる向きに傾斜させたものである。
【００１０】
従って、本発明電子機器にあっては、半導体発光素子から反射ランプ部に入射された光が表示光として反射ランプ部から出射される。
【発明の効果】
【００１１】
本発明電子機器は、透明材料によって各部が一体に形成されると共に互いに反対側に位置する両面がそれぞれ第１の取付面部及び第２の取付面部として形成されたベースシャーシと、該ベースシャーシの第１の取付面部に取り付けられ表示パネルを有する表示ユニットと、ベースシャーシの第２の取付面部に取り付けられた制御回路基板と、ベースシャーシの第２の取付面部に取り付けられ制御回路基板を覆うリアカバーと、半導体発光素子が配置された素子搭載用基板とを備え、ベースシャーシにおける表示ユニットの外側の位置に、半導体発光素子から発光されベースシャーシの内部を透過された光を受光して出射する蓄光ランプ部を形成したことを特徴とする。
【００１２】
従って、ベースシャーシに蓄光ランプ部を形成すると言う簡素な構造を確保した上で、視認性の向上を図ることができる。
【００１３】
請求項２に記載した発明にあっては、上記ベースシャーシに溝形状を形成し該溝の奥面部を上記蓄光ランプ部として形成し、蓄光ランプ部を該蓄光ランプ部への入射光の光路に対して傾斜する形状に形成し、蓄光ランプ部を半導体発光素子から遠去かるに従って溝の深さが深くなるように形成したので、蓄光ランプ部に入射された光が奥面部に満遍なく入射され、光の入射光率の向上を図ることができる。
【００１４】
別の本発明電子機器は、透明材料によって各部が一体に形成されると共に互いに反対側に位置する両面がそれぞれ第１の取付面部及び第２の取付面部として形成されたベースシャーシと、該ベースシャーシの第１の取付面部に取り付けられ表示パネルを有する表示ユニットと、ベースシャーシの第２の取付面部に取り付けられた制御回路基板と、ベースシャーシの第２の取付面部に取り付けられ制御回路基板を覆うリアカバーと、半導体発光素子が配置された素子搭載用基板とを備え、ベースシャーシにおける表示ユニットの外側の位置に、半導体発光素子から発光されベースシャーシの内部を透過された光を内面反射する反射ランプ部を形成し、該反射ランプ部を、該反射ランプ部で反射された光が表示パネルの中央を横切る法線に寄る方向へ導かれる向きに傾斜させたことを特徴とする。
【００１５】
従って、ベースシャーシに反射ランプ部を形成すると言う簡素な構造を確保した上で、視認性の向上を図ることができる。
【発明を実施するための最良の形態】
【００１６】
以下に、本発明を実施するための最良の形態を添付図面に従って説明する。以下に示す最良の形態は、本発明電子機器をパーソナルコンピューターに適用したものである。
【００１７】
尚、本発明電子機器の適用範囲はパーソナルコンピューターに限られることはなく、本発明電子機器は、例えば、ＰＤＡ（Personal Digital Assistant）、ネットワーク端末、携帯情報端末、ワークステーション等の各種の情報処理装置や音響機器、家庭用家電製品等の各種の電子機器に広く適用することができる。
【００１８】
以下の説明にあっては、説明の便宜上、使用者がパーソナルコンピューターの表示画面を視認する方向を上下前後左右の各方向とし、手前側（使用者側）を前方、使用者の左手方向及び右手方向をそれぞれ左方及び右方とする。
【００１９】
電子機器（パーソナルコンピューター）１は装置本体２とキーボード３と装置本体２の背面２ａに回動自在に支持されたスタンド４とを備えている（図１参照）。
【００２０】
キーボード３は、例えば、装置本体２から分離されており、キーボード３には所定の操作キー３ａ、３ａ、・・・が設けられている。キーボード３の操作キー３ａ、３ａ、・・・を操作すると、操作した操作キー３ａに応じた信号が出力され、この出力された信号が装置本体２に設けられた図示しない受信部に無線で入力されて操作キー３ａの操作に応じた各種の処理が実行される。
【００２１】
このように電子機器１にあっては、キーボード３が装置本体２から分離されているため、無線信号が装置本体２で受信可能な範囲内において、必要に応じてキーボード３を任意の位置で使用することが可能である。
【００２２】
尚、電子機器は上記したキーボード３が装置本体２から分離したタイプに限られることはなく、例えば、図２に示すように、装置本体２と該装置本体２の前面２ｂに折畳自在に支持されたキーボード３と装置本体２の背面２ａに回動自在に支持されたスタンド４とを備えた電子機器１Ａであってもよい。電子機器１Ａにあっては、不使用時にキーボード３を折り畳んでおくことが可能であるため、キーボード３の不使用時における配置スペースが小さくなるという利点を有する。
【００２３】
装置本体２は、図３及び図４に示すように、ベースシャーシ５の前後両面に所要の各部が取り付けられて構成され、ベースシャーシ５と該ベースシャーシ５の前面に取り付けられた表示ユニット６とベースシャーシ５の後面に取り付けられた制御回路基板７及びリアカバー８とを有している。
【００２４】
ベースシャーシ５は、例えば、アクリル樹脂等の透明材料を用いた射出成形によって前後方向を向く板状に形成されている。ベースシャーシ５は前面が第１の取付面部５ａとされ、後面が第２の取付面部５ｂとされている。
【００２５】
ベースシャーシ５には前方に開口された取付用凹部９が形成されている。取付用凹部９はベースシャーシ５の外周部１０を除いた部分に形成され、図３及び図５に示すように、外周部１０に平行な底面部１１と、外周部１０の内周縁と底面部１１の外周縁を連結し外周部１０及び底面部１１に対して略直交する連結部１２とに囲まれた空間として形成されている。
【００２６】
このように外周部１０と底面部１１を両者に対して屈曲する連結部１２によって連結してベースシャーシ５を形成することにより、ベースシャーシ５の強度を上げることができる。
【００２７】
ベースシャーシ５は、図５に示すように、外周部１０の厚みＴ１が底面部１２の厚みＴ２より厚くされ、例えば、外周部１０の厚みＴ１が５ｍｍとされ、底面部１２の厚みＴ２が２．４ｍｍとされている。
【００２８】
このように外周部１０の厚みＴ１を底面部１２の厚みＴ２より厚くすることにより、ベースシャーシ５の高い強度を確保した上で薄型化を図ることができる。
【００２９】
ベースシャーシ５の外周部１０には、左右方向における中央部に上方に開口された配置用切欠１０ａが形成されている（図６参照）。
【００３０】
ベースシャーシ５の外周部１０の下端部には、その左右両端部を除いた部分に下方に開口された浅い取付用切欠１０ｂが形成されている。取付用切欠１０ｂの左端寄りの位置及び右端寄りの位置には、それぞれ下方に開口された三つずつの保持凹部１０ｃ、１０ｃ、１０ｃが左右に離隔して形成されている。
【００３１】
ベースシャーシ５の外周部１０には、右端部における上端部に蓄光ランプ部１３が形成されている。蓄光ランプ部１３は、例えば、電源の投入状態を示すランプ部であり、電源が投入されている状態において点灯し、電源が投入されていない状態において消灯する。
【００３２】
蓄光ランプ部１３はベースシャーシ５に後方に開口された溝形状を形成することにより形成されている（図７参照）。蓄光ランプ部１３は、図６及び図７に示すように、上方に開口された円弧状を為す円弧状部１４と該円弧状部１４の先端間に位置する上下に延びる直線部１５とからなる。
【００３３】
円弧状部１４の奥面部１４ａは上方へ行くに従って前方へ変位するように傾斜され、円弧状部１４の溝の深さは上方へ行くに従って深くなるように形成されている（図７及び図８参照）。
【００３４】
直線部１５の奥面部１５ａは、図７に示すように、上方へ行くに従って前方へ変位するように傾斜され、直線部１５の溝の深さは上方へ行くに従って深くなるように形成されている。直線部１５の下端の溝の深さは、円弧状部１４における直線部１５の真下に位置する部分の上端の溝の深さと同じに形成されている。
【００３５】
円弧状部１４及び直線部１５の各奥面部１４ａ、１５ａには、微細な凹凸形状、例えば、シボ加工等が施されている。
【００３６】
蓄光ランプ部１３の下方には第１の素子搭載用基板１６が配置されている（図７及び図９参照）。第１の素子搭載用基板１６は上下方向を向き、一部がベースシャーシ５に形成された上側素子配置孔１０ｄ（図６参照）に挿入された状態で配置されている。上側素子配置孔１０ｄは蓄光ランプ部１３の直ぐ下側に形成されている。
【００３７】
第１の素子搭載用基板１６の上面には、例えば、三つの第１の半導体発光素子１７、１７、１７が左右に離隔して搭載され（図９参照）、該第１の半導体発光素子１７、１７、１７は蓄光ランプ部１６の真下に位置されている。第１の半導体発光素子１７、１７、１７は、例えば、中央のものが橙色の光を発光する素子であり、左右のものが緑色の光を発光する素子である。
【００３８】
蓄光ランプ部１３には、奥面部１４ａ、１５ａに第１の半導体発光素子１７、１７、１７から発光された光Ｐ１（図７参照）が入射されるが、上記したように、奥面部１４ａ、１５ａを傾斜させ、円弧状部１４及び直線部１５の溝の深さを上方へ行くに従って深くなるように形成し、直線部１５の下端の溝の深さを円弧状部１４における直線部１５の真下に位置する部分の上端の溝の深さと同じに形成することにより、光Ｐ１が奥面部１４ａ、１５ａに満遍なく入射され、光の入射光率の向上を図ることができる。
【００３９】
蓄光ランプ部１３に光Ｐ１が入射されると、光Ｐ１は奥面部１４ａ、１５ａに形成された微細な凹凸形状によって乱反射され、光Ｐ１が蓄光ランプ部１３からベースシャーシ５の内部を透過して前方側へ出射される。
【００４０】
電子機器１においては、例えば、通常の動作モードにおいて左右に位置する第１の半導体発光素子１７、１７から光Ｐ１が発光され、休止モードにおいて中央に位置する第１の半導体発光素子１７から光Ｐ１が発光される。
【００４１】
上記のように、電子機器１にあっては、ベースシャーシ５に蓄光ランプ部１３を設け、半導体発光素子１７、１７、１７から発光された光Ｐ１を蓄光ランプ部１３によって出射するようにしているため、ベースシャーシ５に蓄光ランプ部１３を形成すると言う簡素な構造を確保した上で、視認性の向上を図ることができる。
【００４２】
ベースシャーシ５の外周部１０には、右端部における下端部に反射ランプ部１８、１８が形成されている（図６参照）。反射ランプ部１８、１８は、例えば、それぞれワイヤレスＬＡＮ（Local Area Network）の接続状態やハードディスクドライブのアクセス状態等を示すランプ部であり、ワイヤレスＬＡＮの接続又はハードディスクドライブのアクセスが行われている状態において点灯又は点滅し、これらの接続又はアクセスが行われていない状態において消灯する。
【００４３】
反射ランプ部１８、１８はベースシャーシ５に後方に開口された溝形状を形成することにより形成されている（図１０参照）。
【００４４】
反射ランプ部１８、１８の奥面部１８ａ、１８ａは下方へ行くに従って前方へ変位するように傾斜されている（図１０参照）。また、反射ランプ部１８、１８の奥面部１８ａ、１８ａは右方へ行くに従って前方へ変位するようにも傾斜されている（図１１参照）。
【００４５】
反射ランプ部１８、１８の奥面部１８ａ、１８ａは、鏡面に形成されている。  反射ランプ部１８、１８の上方には前後方向を向く第２の素子搭載用基板１９が配置されている（図９及び図１０参照）。
【００４６】
第２の素子搭載用基板１９の前面には、例えば、二つの第２の半導体発光素子２０、２０が左右に離隔して搭載され、該第２の半導体発光素子２０、２０はベースシャーシ５に形成された下側素子配置孔１０ｅ（図６参照）に配置され、それぞれ反射ランプ部１８、１８の真上に位置されている（図１０参照）。下側素子配置孔１０ｅは反射ランプ部１８、１８の直ぐ上側に形成されている。
【００４７】
反射ランプ部１８、１８には、奥面部１８ａ、１８ａに第２の半導体発光素子２０、２０から発光された光Ｐ２（図１０参照）が入射される。
【００４８】
反射ランプ部１８、１８に光Ｐ２が入射されると、光Ｐ２は奥面部１８ａ、１８ａで内面反射され、反射ランプ部１８、１８からベースシャーシ５の内部を透過して前方側へ出射される。
【００４９】
このとき、上記したように、反射ランプ部１８、１８の奥面部１８ａ、１８ａが右方へ行くに従って前方へ変位するように傾斜されているため、光Ｐ２は電子機器１の中央側、即ち、表示ユニット６の中央を横切る法線Ｈ（図１１参照）に寄る方向へ向けて反射される。
【００５０】
従って、反射ランプ部１８、１８で反射された光Ｐ２が電子機器１の使用者に視認し易く、ベースシャーシ５に溝形状を形成することにより反射ランプ部１８、１８を形成すると言う簡素な構造を確保した上で、視認性の向上を図ることができる。
【００５１】
ベースシャーシ５の底面部１１には、それぞれ所定の位置に、スピーカー配置孔１１ａ、１１ａ、接続線通し孔１１ｂ及び冷却空気流通孔１１ｃ、１１ｃ、・・・等が形成されている。また、底面部１１及び連結部１２の各位置には、ネジ止め用の取付ボスや位置決め突部、位置決め孔、取付用突起、取付孔等の各部も形成されている。
【００５２】
表示ユニット６は、表示パネル２１とフロントパネル２２を有している（図１乃至図４参照）。
【００５３】
表示パネル２１は、例えば、液晶パネルであり、外形がベースシャーシ５の底面部１１の外形より一回り小さくされている。
【００５４】
フロントパネル２２は矩形の枠状に形成され、外形がベースシャーシ５の底面部１１の外形より一回り大きくされている。
【００５５】
表示パネル２１はベースシャーシ５の取付用凹部９に挿入されて配置され、ネジ止め等の適宜の手段によってベースシャーシ５の底面部１１に取り付けられる。表示パネル２１がベースシャーシ５に取り付けられた状態において、フロントパネル２２が外周部１０の内周縁を前方から覆った状態でネジ止め等の適宜の手段によってベースシャーシ５に取り付けられる。表示パネル２１は、その外周縁がフロントパネル２２によって前方から押さえられる。
【００５６】
表示パネル２１の駆動時には、該表示パネル２１の駆動に伴う熱が生じるが、発生した熱はベースシャーシ５に形成された冷却空気流通孔１１ｃ、１１ｃ、・・・を介してベースシャーシ５の背面側に流通され、リアカバー８に形成された図示しない放熱孔から外部へ放出される。従って、表示パネル２１の温度上昇が抑制される。
【００５７】
制御回路基板７は、電子機器１の全体の制御処理を行う基板である。制御回路基板７は、基板２３と該基板２３上に搭載されたＣＰＵ（中央演算処理装置）やチップセット等の所定の電子部品２３ａ、２３ａ、・・・とを有している（図３及び図４参照）。
【００５８】
制御回路基板７は、ベースシャーシ５の背面である第２の取付面部５ｂの所定の位置にネジ止め等の適宜の手段によって取り付けられる。制御回路基板７が第２の取付面部５ｂに取り付けられた状態において、図示しない接続線がベースシャーシ５に形成された接続線通し孔１１ｂを挿通され、接続線によって表示パネル２１と制御回路基板７のパネル駆動回路とが接続される。
【００５９】
ベースシャーシ５の第２の取付面部５ｂには、ディスクドライブやカードスロット等のメディア駆動部２４及び冷却用ファン２５等の所定の部品がネジ止め等の適宜の手段によって取り付けられる。
【００６０】
ベースシャーシ５に形成されたスピーカー配置孔１１ａ、１１ａにはそれぞれスピーカー２６、２６が挿入されて配置され、ベースシャーシ５にネジ止め等の適宜の手段によって取り付けられる。
【００６１】
スピーカー配置孔１１ａ、１１ａにスピーカー２６、２６を挿入して取り付けることにより、ベースシャーシ５の第１の取付面部５ａ上にスピーカー２６、２６を取り付ける場合に比し、スピーカー２６、２６の前方への突出量が小さく、電子機器１の薄型化を図ることができる。
【００６２】
上記のように、ベースシャーシ５の第２の取付面部５ｂに制御回路基板７、メディア駆動部２４、冷却用ファン２５等の所定の部品及びスピーカー２６、２６等の所要の各部が取り付けられた状態において、これらの各部を後方から覆うようにリアカバー８が第２の取付面部５ｂにネジ止め等の適宜の手段によって取り付けられる。
【００６３】
リアカバー８は略前後方向を向く基部２７と該基部２７の上下両側縁から前方へ突出された突部２８、２８とを有している。リアカバー８には図示しない複数の放熱孔が形成されている。
【００６４】
基部２７の略中央部にはスタンド支持部２９が設けられ（図４参照）、該スタンド支持部２９の下側にメンテナンス用開口２７ａを有している。メンテナンス用開口２７ａは基部２７に対して着脱自在とされた蓋３０によって開閉される。
【００６５】
蓋３０を基部２７から取り外し、メンテナンス用開口２７ａを開放することにより、制御回路基板７等が露出され、該制御回路基板７等に対するメンテナンスを行うことができる。
【００６６】
リアカバー８の左右両側部にはそれぞれサイドカバー３１、３１が取り付けられる。
【００６７】
以上に記載した通り、電子機器１にあっては、透明材料によって各部が一体に形成されたベースシャーシ５の第１の取付面部５ａと第２の取付面部５ｂにそれぞれ所要の各部を取り付けて構成するようにしているため、構成が簡素であると共に部品点数も少なく組立工数の低減を図ることができる。
【００６８】
ベースシャーシ５の下端部には保持部材３２が取り付けられる（図３及び図４参照）。保持部材３２は厚みの薄い板状の金属材料が所定の形状に折り曲げられることによって形成され（図１２参照）、上下方向を向く下面部３３と該下面部３３の前後両側縁から上方へ突出された突面部３４、３４とから成る。下面部３３には、左右両端寄りの位置に、それぞれ３つずつの挿入孔３５、３５、・・・が形成されている。挿入孔３５、３５、３５はそれぞれ幅広部３５ａ、３５ａ、・・・と該幅広部３５ａ、３５ａ、・・・より前後の幅が小さい幅狭部３５ｂ、３５ｂ、・・・とが左右に連続して成る。
【００６９】
保持部材３２はベースシャーシ５に形成された取付用切欠１０ｂを覆うようにして取り付けられる。保持部材３２がベースシャーシ５に取り付けられた状態においては、下面部３３とベースシャーシ５の下面との間に一定の隙間が形成される（図１３参照）。保持部材３２がベースシャーシ５に取り付けられた状態においては、挿入孔３２、３２、・・・の幅狭部３２ｂ、３２ｂ、・・・がベースシャーシ５の保持凹部１０ｃ、１０ｃ、１０ｃの真下に位置される。
【００７０】
保持部材３２には載置用パッド３６、３６が取り付けられる（図１２参照）。載置用パッド３６は上下方向を向く板状に形成された載置面部３７と該載置面部３７から上方へ突出された被保持部３８、３８、３８とがゴム等の弾性を有する材料によって一体に形成されて成る。被保持部３８、３８、３８は左右に離隔して設けられ、それぞれ被挿入部３８ａ、３８ａ、３８ａと該被挿入部３８ａ、３８ａ、３８ａより前後方向における幅が小さい括れ部３８ｂ、３８ｂ、３８ｂとが上下に連続して成る。括れ部３８ｂ、３８ｂ、３８ｂの前後幅は、それぞれ保持部材３２の幅狭部３５ｂ、３５ｂ、３５ｂの前後幅と略同じ幅に形成されている。
【００７１】
載置用パッド３６は以下のようにして保持部材３２に取り付けられる（図１４及び図１５参照）。
【００７２】
先ず、保持部材３２がベースシャーシ５に取り付けられた状態（図１３参照）において、載置用パッド３６の被保持部３８、３８、３８をそれぞれ保持部材３２の挿入孔３５、３５、３５の幅広部３５ａ、３５ａ、３５ａに挿入し、被保持部３８、３８、３８をベースシャーシ５の下面に下方から強く押し付ける。
【００７３】
被保持部３８、３８、３８をベースシャーシ５の下面に下方から強く押し付けると、被保持部３８、３８、３８が弾性変形され上下方向において潰れた形状とされる（図１４参照）。
【００７４】
この状態で載置用パッド３６を側方へスライドさせると、括れ部３８ｂ、３８ｂ、３８ｂがそれぞれ幅狭部３５ｂ、３５ｂ、３５ｂに挿入され、被挿入部３８ａ、３８ａ、３８ａがそれぞれベースシャーシ５の保持凹部１０ｃ、１０ｃ、１０ｃに対応して位置される。従って、被保持部３８、３８、３８が弾性復帰して、それぞれ被挿入部３８ａ、３８ａ、３８ａが保持凹部１０ｃ、１０ｃ、１０ｃに挿入され（図１５参照）、載置用パッド３６が保持部材３２に取り付けられる。
【００７５】
保持部材３２、３２に取り付けられた載置用パッド３６、３６の載置面部３７、３７は、後述するように、電子機器１が机上等の載置面に載置された状態において該載置面に接する。
【００７６】
このように、電子機器１にあっては、ベースシャーシ５の下端部に保持部材３２を取り付け、該保持部材３２に弾性を有する載置用パッド３６、３６を取り付け、電子機器１が机上等の載置面に載置された状態において該載置面に載置面部３７、３７が接するようにしているため、電子機器１の載置面に対する載置状態の安定化を図ることができる。
【００７７】
また、載置用パッド３６、３６が載置面に接するため、載置面及びベースシャーシ５の下端部の傷付きや損傷を防止することができる。
【００７８】
リアカバー８のスタンド支持部２９にはスタンド４が回動機構３９によって回動自在に支持される（図１乃至図４参照）。
【００７９】
回動機構３９は、図１６及び図１７に示すように、装置本体２に固定される本体側被固定部４０と、スタンド４に固定されるスタンド側被固定部４１、４１と、本体側被固定部４０とスタンド側被固定部４１を連結する回動軸４２、４３とを有している。
【００８０】
本体側被固定部４０は被固定板４４と該被固定板４４の後面に取り付けられた軸受部材４５、４６とから成り、該軸受部材４５、４６は左右に離隔して位置されている。
【００８１】
被固定板４４は装置本体２の内部において固定される被固定部４４ａと該被固定部４４ａの左右両側縁からそれぞれ後方へ突出された軸支持突部４４ｂ、４４ｃとから成る。
【００８２】
軸受部材４５は、被固定板４４に取り付けられた被取付板部４５ａと、該被取付板部４５ａの一方の側縁から後方へ突出された軸受部４５ｂとから成る。
【００８３】
軸受部材４６は、被固定板４４に取り付けられた被取付板部４７と、該被取付板部４７の一方の側縁から後方へ突出された軸受部４８と、該軸受部４８の右側面に設けられたロック部４９とから成る。
【００８４】
ロック部４９は周方向に離隔して設けられた３つの規制部によって構成され、図１８に示すように、該規制部は、上方側から順に第１の規制部５０、第２の規制部５１及び第３の規制部５２とされている。第１の規制部５０の周方向における反対側の面は、図１８の拡大図に示すように、それぞれ第１の規制面５０ａ及び第２の規制面５０ｂとして形成されている。第１の規制面５０ａは右方へ行くに従って第２の規制面５０ｂに近付く傾斜面に形成されている。第１の規制部５０と第２の規制部５１は左右方向において同じ位置に存在するが、第３の規制部５２は第１の規制部５０と第２の規制部５１より右方に位置されている。
【００８５】
回動軸４２、４３は左右方向に延び、図１６及び図１７に示すように、それぞれ被固定板４４の軸支持突部４４ｂ、４４ｃに挿入され、軸受部材４５、４６の軸受部４５ｂ、４８に軸回り方向へ回転自在に支持されている。回動軸４２、４３は軸受部４５ｂ、４８に支持された状態において、一部が軸受部４５ｂ、４８からそれぞれ外方へ突出されている。
【００８６】
回動軸４２、４３の軸方向における外側の端部には、それぞれスタンド側被固定部４１、４１が取り付けられている。スタンド側被固定部４１は被固定部４１ａ、４１ａと該被固定部４１ａ、４１ａの内側の側縁からそれぞれ前方へ突出された被取付突部４１ｂ、４１ｂとから成る。スタンド側被固定部４１、４１は、被固定部４１ａ、４１ａがスタンド４の内部において固定され、被取付突部４１ｂ、４１ｂがそれぞれ回動軸４２、４３に取り付けられている。
【００８７】
回動軸４２、４３にはそれぞれコイルバネであるバネ部材５３、５３が支持されている。バネ部材５３、５３は、それぞれ一端部が軸受部材４５、４６の軸受部４５ｂ、４８に支持され、他端部がスタンド側被固定部４１、４１の被取付突部４１ｂ、４１ｂに支持されている。従って、スタンド側被固定部４１、４１はバネ部材５３、５３によって本体側被固定部４０に対して回動軸４２、４３の軸回り方向における一方向（図７に示すＲ１方向）、即ち、スタンド４の下端部が装置本体２の下端部に近付く方向への回動力が付与される。
【００８８】
左側に位置する回動軸４３には被規制部材５４が軸回り方向へ回転不能かつ軸方向へ移動自在に支持されている。
【００８９】
被規制部材５４は、図１８に示すように、略円環状に形成された軸挿通部５５と該軸挿通部５５の外周部の一部から左方へ突出された突出部５６とから成る。突出部５６の内面における左端部にはそれぞれ突状の第１の被規制部５６ａと第２の被規制部５６ｂが設けられ、第１の被規制部５６ａと第２の被規制部５６ｂは周方向に離隔して位置されている。
【００９０】
被規制部材５４は軸挿通部５５に回動軸４３が挿通され、該回動軸４３の右端部、即ち、軸受部材４６から右方へ突出された部分に支持されている。
【００９１】
上記のように、被規制部材５４は回動軸４３に軸回り方向へ回転不能に支持されているため、バネ部材５３によって回動軸４３に付与される回動力と同じ方向へ、バネ部材５３によって付勢されている。
【００９２】
回動軸４３には回動角度変更レバー５７が軸回り方向へ回転不能かつ軸方向へ移動自在に支持されている（図１６及び図１７参照）。
【００９３】
回動角度変更レバー５７は略上下方向を向くベース面部５７ａと該ベース面部５７ａから下方へ突出された被操作部５７ｂとベース面部５７ａから上方へ突出された被支持筒部５７ｃとから成る。回動角度変更レバー５７は被支持筒部５７ｃに回動軸４３が挿通され、該回動軸４３に軸回り方向へ回転可能かつ軸方向へ移動自在に支持されている。回動角度変更レバー５７は被支持筒部５７ｃが被規制部材５４の軸挿通部５５と軸受部材４６の軸受部４８との間に位置され、ベース面部５７ａ及び被操作部５７ｂが被規制部材５４の下側に位置されている。
【００９４】
回動角度変更レバー５８は操作方向における左端である第１の操作位置と操作方向における右端である第２の操作位置との間で移動可能とされ、被操作部５７ｂがリアカバー８のスタンド支持部２９の外方に位置され、手動操作可能な状態とされている。
【００９５】
回動軸４３の右端部にはストッパーリング５８が固定されている。ストッパーリング５８と被規制部材５４の軸挿通部５５との間には圧縮コイルバネである付勢バネ５９が支持されている。従って、被規制部材５４は付勢バネ５９によって軸受部材４６の軸受部４８に近付く方向へ付勢されている。
【００９６】
以下に、回動機構の動作及びこれに伴うスタンド４の動作について説明する（図１９乃至図３０参照）。
【００９７】
装置本体２に対するスタンド４の回動可能角度のモードとしては第１のモードと第２のモードがあり、第１のモードは電子機器１をパーソナルコンピューターとして通常使用するモードであり、第２のモードは電子機器１のパーソナルコンピューターとしての非使用時、例えば、持ち運び時やメンテナンス時のモードである。第１のモードにおいては、例えば、スタンド４が装置本体２に対して３０°乃至６０°の範囲（第１の回動可能角度）で回動可能とされ、第２のモードにおいては、例えば、スタンド４が装置本体２に対して０°乃至９０°の範囲（第２の回動可能角度）で回動可能とされる。
【００９８】
第１のモードにおいては、図１９に示すように、被規制部材５４及び回動角度変更レバー５７は付勢バネ５９の付勢力によって移動範囲における左端、即ち、第１の操作位置にあり、被規制部材５４の軸挿通部５５が回動角度変更レバー５７のベース面部５７ａに右方から押し付けられると共に被規制部材５４の突出部５６が軸受部材４６の軸受部４８に右方から押し付けられている。
【００９９】
第１のモードにおいてスタンド４の回動角度が３０°の状態では、図２０に示すように、軸受部材４６のロック部４９の第２の規制部５１に被規制部材５４の第２の被規制部５６ｂが上方から係合され、スタンド４が装置本体２に対して３０°の状態に保持されている（図２１参照）。
【０１００】
このとき電子機器１は、ベースシャーシ５の下端部に設けられた載置用パッド３６、３６とスタンド４の下端とが机上等の載置面１００に接した状態で載置される。尚、電子機器１にあっては、保持部材３２及び該保持部材３２に取り付けられる載置パッド３６、３６を設けずに、ベースシャーシ５の下端とスタンド４の下端によって支え、載置面１００に載置することも可能である。
【０１０１】
上記のように、電子機器１にあっては、ベースシャーシ５とスタンド４に支えられて載置面１００に載置されるため、ベースシャーシ５の他に専用の支えを設ける必要がなく、部品点数の削減及び構造の簡素化を図ることができる。
【０１０２】
第１のモードにおいて、例えば、装置本体２に対するスタンド４の回動角度を３０°より大きな角度となるように装置本体２を傾斜していくと、回動軸４２、４３がバネ部材５３、５３の付勢力に抗して図２０に示すＲ２方向へ回転され、同時に被規制部材５４が回動軸４３と一体となって回転される。
【０１０３】
被規制部材５４は第１の被規制部５６ａがロック部４９の第１の規制部５０の第２の規制面５０ｂに接するまで回転可能とされる。第１の被規制部５６ａが第１の規制部５０の第２の規制面５０ｂに接した状態（図２２参照）が、装置本体２に対するスタンド４の回動角度が６０°の状態である（図２３参照）。
【０１０４】
逆に、第１のモードにおいて、装置本体２に対するスタンド４の回動角度を６０°より小さな角度となるように装置本体２を傾斜していくと、回動軸４２、４３がバネ部材５３、５３の付勢力によって図２２に示すＲ１方向へ回転され、同時に被規制部材５４が回動軸４３と一体となって回転される。このとき、スタンド４は下端部が装置本体２の下端部に近付く方向へ付勢されているため、装置本体２の角度変更に追従してスタンド４が載置面１００に接しながら回動される。従って、装置本体２の角度調節をした後にスタンド４の下端部が装置本体２に近付く方向へ手動で回動させる必要がなく、利便性の向上を図ることができる。
【０１０５】
第１のモードにおいては、上記のようにスタンド４の回動角度を３０°から６０°の範囲で変更可能であり、このとき常にスタンド４に回動軸４２、４３を介してバネ部材５３、５３のＲ１方向への付勢力が付与されているが、電子機器１にあっては、スタンド４と載置面１００との間の摩擦力や電子機器１の自重によって載置面１００に対して付与される力が、バネ部材５３、５３の付勢力に打ち勝つように設定されているため、上記した３０°乃至６０°の範囲内でスタンド４を載置面１００に対して滑ることなく任意の角度に保持することが可能とされている。
【０１０６】
装置本体２に対するスタンド４の回動角度が３０°乃至６０°の範囲内で保持されている状態において、回動角度変更レバー５７を操作して第１の操作位置から第２の操作位置まで右方へ移動させると、第２のモードが設定される（図２４参照）。
【０１０７】
第２のモードは、上記したように、電子機器１の非使用時やメンテナンス時のモードであるため、通常、スタンド４を用いては電子機器１を載置面１００に載置させない状態、例えば、表示ユニット６を載置面１００に接するようにして載置した状態（図２５参照）で設定される。
【０１０８】
回動角度変更レバー５７を右方へ移動させるときには、該回動角度変更レバー５７のベース面部５７ａによって被規制部材５４の軸挿通部５５が押圧されて被規制部材５４が右方へ移動される。
【０１０９】
回動角度変更レバー５７を第２の操作位置まで移動させると、被規制部材５４の第１の被規制部５６ａ及び第２の被規制部５６ｂがロック部４９の第１の規制部５０及び第２の規制部５１から右方へ離隔した位置に移動されるため、スタンド４を把持しない状態においては、被規制部材５４がバネ部材５３の付勢力によってＲ１方向へ回転され、第２の被規制部５６ｂがロック部４９の第３の規制部５２に接して押し付けられる（図２６参照）。
【０１１０】
第２の被規制部５６ｂが第３の規制部５２に接した状態において、回動角度変更レバー５７に対する手動による操作を解除すると、付勢バネ５９によって被規制部材５４に左方への移動力が付与され、第２の被規制部５６ｂがロック部４９の第２の規制部５１に側方から押し付けられる。従って、回動角度変更レバー５７は第２の操作位置に保持される。
【０１１１】
第２の被規制部５６ｂがロック部４９の第３の規制部５２に接した状態が、装置本体２に対するスタンド４の回動角度が０°の状態である（図２７参照）。装置本体２に対するスタンド４の回動角度が０°の状態においては、スタンド４が装置本体２から斜め方向へ突出されないため、例えば、電子機器１の持ち運び時にスタンド４が邪魔とならず、持ち運び等の利便性の向上を図ることができる。
【０１１２】
尚、上記には、被規制部材５４の第２の被規制部５６ｂがロック部４９の第３の規制部５２に接して押し付けられることによりスタンド４を回動角度０°に保持する例を示したが、例えば、スタンド４が装置本体２の背面２ａに接することによりスタンド４を回動角度０°に保持するようにすることも可能である。
【０１１３】
このようにスタンド４が装置本体２の背面２ａに接することによりスタンド４を回動角度０°に保持することにより、スタンド４を０°の状態に保持するための専用の規制部を必要とせず、部品点数の削減及び機構の簡素化を図ることができる。
【０１１４】
スタンド４の回動角度が０°の状態において、スタンド４を装置本体２に対する回動角度が大きくなる方向へ回動していくと、被規制部材５４の第２の被規制部５６ｂがロック部４９の第２の規制部５１の右側面と摺接され、第２の被規制部５６ｂが第２の規制部５１から離隔されたところで付勢バネ５９の付勢力によって被規制部材５４が左方へ移動される。被規制部材５４の左方への移動によって回動角度変更レバー５７の被支持筒部５７ｃが軸挿通部５５によって左方へ押圧され、回動角度変更レバー５７が第２の操作位置から第１の操作位置まで移動される。
【０１１５】
このようにスタンド４を０°の状態から回動させたときに、付勢バネ５９によって回動角度変更レバー５７を第２の操作位置から第１の操作位置へ移動させることにより、回動角度変更レバー５７を手動操作により第２の操作位置から第１の操作位置に移動させる必要がなく、操作性の向上を図ることができる。
【０１１６】
回動角度変更レバー５７を第２の操作位置まで移動させると、被規制部材５４の第１の被規制部５６ａ及び第２の被規制部５６ｂがロック部４９の第１の規制部５０及び第２の規制部５１から右方へ離隔した位置に移動されるため、スタンド４を把持し該スタンド４の下端部が装置本体２の下端部から離隔する方向へ９０°の状態まで回動させることが可能となる。
【０１１７】
スタンド４を９０°の状態まで回動し、第２の操作位置に保持していた回動角度変更レバー５７の手動による操作を解除すると、付勢バネ５９の付勢力によって被規制部材５４及び回動角度変更レバー５７が左方へ移動され、該回動角度変更レバー５７が第２の操作位置から第１の操作位置まで移動される。
【０１１８】
被規制部材５４が左方へ移動されると、第１の被規制部５６ａがロック部４９の第１の規制部５０の上側に位置される。このときスタンド４に対する手動による回動動作を解除すると、バネ部材５３、５３の付勢力によってスタンド４に回動角度０°の方向へ回動する向きの回動力が付与され、第１の被規制部５６ａが第１の規制部５０の第１の規制面５０ａに押し付けられて係合する（図２８参照）。従って、スタンド４は装置本体２に対する回動角度が９０°の状態に保持される（図２９参照）。
【０１１９】
装置本体２に対するスタンド４の回動角度が９０°の状態においては、スタンド４がリアカバー８のメンテナンス用開口２７ａを開閉する蓋３０の開閉動作に邪魔とならず、蓋３０の開閉を容易に行うことができる。
【０１２０】
また、メンテナンス用開口２７ａを介してのメンテナンス時にもスタンド４が邪魔となることがなく、メンテナンスを容易に行うことができる。
【０１２１】
装置本体２に対するスタンド４の回動角度が９０°で保持されている状態において、回動角度変更レバー５７を第１の操作位置から操作して第２の操作位置まで右方へ移動させると、第１のモードが設定される。
【０１２２】
回動角度変更レバー５７が第２の操作位置まで移動されるときには、被規制部材５４の第１の被規制部５６ａがロック部４９の第１の規制部５０の第１の規制面５０ａと摺動される（図３０参照）。このとき被規制部材５４はバネ部材５３、５３の付勢力によって第１の被規制部５６ａが第１の規制面５０ａに押し付けられているが、該第１の規制面５０ａが傾斜面に形成されているため、被規制部材５４及び回動角度変更レバー５７が右方へ向けて円滑に移動され、第１の被規制部５６ａと第１の規制面５０ａの接触が解除される。
【０１２３】
従って、回動角度変更レバー５７の第１の操作位置から第２の操作位置へ向けての操作を円滑に行うことができる。
【０１２４】
第１の被規制部５６ａと第１の規制面５０ａの接触が解除されたときに、回動角度変更レバー５７に対する手動による操作を解除すると、付勢バネ５９によって被規制部材５４に左方への移動力が付与され、該被規制部材５４と回動角度変更レバー５７が一体となって左方へ移動される。被規制部材５４は第１の被規制部５６ａ及び第２の被規制部５６ｂがともにロック部４９の第１の規制部５０と第２の規制部５１の間に位置され、被規制部材５４がバネ部材５３の付勢力によって回転されることにより第２の被規制部５６ｂが第２の規制部５１に接して係合され、被規制部材５４の回転が停止される（図２０参照）。
【０１２５】
従って、第１のモードが設定され、スタンド４は装置本体２に対する回動角度が３０°の状態に保持される（図２１参照）。回動角度変更レバー５７は第１の操作位置に保持される（図１９参照）。
【０１２６】
以上に記載した通り、電子機器１にあっては、回動角度変更レバー５７を操作することにより第１のモードと第２のモードの切替を行うことができ、電子機器１をパーソナルコンピューターとして通常使用することができる他、電子機器１のパーソナルコンピューターとしての非使用時、例えば、持ち運び時やメンテナンス時のモードを簡単に設定することができる。
【０１２７】
また、第２のモードにおいてスタンド４の角度を０°から９０°まで変更することが可能であるため、電子機器１に対する必要な作業、例えば、持ち運びやメンテナンスを不都合なく容易に行うことができる。
【０１２８】
ベースシャーシ５の配置用切欠１０ａにはカメラユニット６０が配置されている（図１乃至図４参照）。カメラユニット６０は、例えば、テレビ電話用であり、横長の形状に形成され、ベースシャーシ５に図示しないヒンジ機構によって左右に延びる支点軸を介して回動自在に支持されている。カメラユニット６０のベースシャーシ５に対する回動可能角度は、例えば、基準位置に対して±１０°とされ、カメラユニット６０を回動可能角度の範囲内において任意の角度で保持することが可能とされている。
【０１２９】
カメラユニット６０の前面には撮影用レンズ６０ａが設けられている。撮影用レンズ６０ａの画角は、例えば、５５°とされている（図３１参照）。撮影用レンズ６０ａの光軸方向は、以下のように設定されている。
【０１３０】
使用者１０１が電子機器１を使用する際の標準的な使用状態は、一般に、図３１に示すように、椅子１０２の高さが４０ｃｍ、机１０３の高さが７０ｃｍ、使用者１０１の床１０４からの目の高さが１２０ｃｍとされる。
【０１３１】
机１０２上に載置された電子機器１は、表示パネルの表示面が垂直方向に対して２５°の角度で傾斜され、使用者１０１は表示パネルの表示面を８５°の角度から視認している。
【０１３２】
カメラユニット６０の上記基準位置、即ち、基準状態における撮影用レンズ６０ａの光軸方向Ｓは、表示パネル２１の法線Ｌに対して稍下向き、例えば、７°下向きに設定されている。従って、カメラユニット６０は７°下向きの状態を基準として、±１０°の範囲で回動可能とされている。
【０１３３】
このように基準位置においてカメラユニット６０を法線Ｌに対して下向き、例えば、７°下向きの状態とすることにより、相手先の機器における表示画面の中央部に使用者１０１の顔が映し出され易く、テレビ電話等の使用時における使い勝手の向上を図ることができる。
【０１３４】
また、電子機器１にあっては、カメラユニット６０がベースシャーシ５に対して回動可能とされているため、映像の位置調整を行うことができる。
【０１３５】
尚、上記に示した前後上下左右の方向は説明の便宜上のものであり、本発明の適用においては、これらの方向に限定されることはない。
【０１３６】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１３７】
【図１】図２乃至図３１と共に本発明の最良の形態を示すものであり、本図は、電子機器の斜視図である。
【図２】別のタイプの電子機器の斜視図である。
【図３】電子機器の概略分解斜視図である。
【図４】図３とは反対側から見た状態で示す電子機器の概略分解斜視図である。
【図５】ベースシャーシの概略拡大断面図である。
【図６】ベースシャーシの正面図である。
【図７】素子搭載用基板及び半導体発光素子等とともに示す図６のＶＩＩ−ＶＩＩ線に沿う拡大断面図である。
【図８】図６のＶＩＩＩ−ＶＩＩＩ線に沿う拡大断面図である。
【図９】半導体発光素子と蓄光ランプ部、反射ランプ部との位置関係を示す拡大正面図である。
【図１０】素子搭載用基板及び半導体発光素子等とともに示す図６のＸ−Ｘ線に沿う拡大断面図である。
【図１１】反射ランプ部で反射された光の出射方向を示す拡大断面図である。
【図１２】ベースシャーシの下端部、保持部材及び載置用パッドを示す拡大分解斜視図である。
【図１３】載置用パッドが保持部材に取り付けられる前の状態を示す拡大断面図である。
【図１４】載置用パッドが保持部材に取り付けられる途中の状態を示す拡大断面図である。
【図１５】載置用パッドが保持部材に取り付けられた状態を示す拡大断面図である。
【図１６】回動機構の分解斜視図である。
【図１７】回動機構の斜視図である。
【図１８】回動機構の要部を示す拡大分解斜視図である。
【図１９】回動角度変更レバーが第１の位置にある状態を示す拡大背面図である。
【図２０】装置本体に対するスタンドの回動角度が３０°の状態におけるロック部と被規制部材の位置関係を示す拡大断面図である。
【図２１】装置本体に対するスタンドの回動角度が３０°の状態を示す側面図である。
【図２２】装置本体に対するスタンドの回動角度が６０°の状態におけるロック部と被規制部材の位置関係を示す拡大断面図である。
【図２３】装置本体に対するスタンドの回動角度が６０°の状態を示す側面図である。
【図２４】回動角度変更レバーが第２の位置に移動された状態を示す拡大背面図である。
【図２５】第２のモードを設定しようとするときの電子機器の状態を示す斜視図である。
【図２６】装置本体に対するスタンドの回動角度が０°の状態におけるロック部と被規制部材の位置関係を示す拡大断面図である。
【図２７】装置本体に対するスタンドの回動角度が０°の状態を示す側面図である。
【図２８】装置本体に対するスタンドの回動角度が９０°の状態におけるロック部と被規制部材の位置関係を示す拡大断面図である。
【図２９】装置本体に対するスタンドの回動角度が９０°の状態を示す斜視図である。
【図３０】被規制部材の第１の被規制部が軸受部材の第１の規制部の第１の規制面と摺動されている状態を示す概念図である。
【図３１】使用者が電子機器を使用する際の標準的な使用状態と基準状態におけるカメラユニットの撮影用レンズの光軸方向を示す概念図である。
【符号の説明】
【０１３８】
１…電子機器、５…ベースシャーシ、５ａ…第１の取付面部、５ｂ…第２の取付面部、６…表示ユニット、７…制御回路基板、８…リアカバー、１３…蓄光ランプ部、１４ａ…奥面部、１６…第１の素子搭載用基板、１７…第１の半導体発光素子、１８…反射ランプ部、１８ａ…奥面部、１９…第２の素子搭載用基板、２０…第２の半導体発光素子、２１…表示パネル
【図１】
0004725792.tif 000002
【図２】
0004725792.tif 000003
【図３】
0004725792.tif 000004
【図４】
0004725792.tif 000005
【図５】
0004725792.tif 000006
【図６】
0004725792.tif 000007
【図７】
0004725792.tif 000008
【図８】
0004725792.tif 000009
【図９】
0004725792.tif 000010
【図１０】
0004725792.tif 000011
【図１１】
0004725792.tif 000012
【図１２】
0004725792.tif 000013
【図１３】
0004725792.tif 000014
【図１４】
0004725792.tif 000015
【図１５】
0004725792.tif 000016
【図１６】
0004725792.tif 000017
【図１７】
0004725792.tif 000018
【図１８】
0004725792.tif 000019
【図１９】
0004725792.tif 000020
【図２０】
0004725792.tif 000021
【図２１】
0004725792.tif 000022
【図２２】
0004725792.tif 000023
【図２３】
0004725792.tif 000024
【図２４】
0004725792.tif 000025
【図２５】
0004725792.tif 000026
【図２６】
0004725792.tif 000027
【図２７】
0004725792.tif 000028
【図２８】
0004725792.tif 000029
【図２９】
0004725792.tif 000030
【図３０】
0004725792.tif 000031
【図３１】
0004725792.tif 000032